【手続補正書】
【提出日】平成26年1月28日(2014.1.28)
【手続補正１】
【補正対象書類名】明細書
【補正対象項目名】発明の名称
【補正方法】変更
【補正の内容】
【発明の名称】記録制御装置、記録システムおよび記録方法
【手続補正２】
【補正対象書類名】明細書
【補正対象項目名】０００１
【補正方法】変更
【補正の内容】
【０００１】
本発明は、記録媒体に記録材を記録することによって所定の濃度情報を表現することが可能な記録制御装置、記録システムおよび記録方法に関する。
【手続補正３】
【補正対象書類名】明細書
【補正対象項目名】０００７
【補正方法】変更
【補正の内容】
【０００７】
そのために本発明は、インクを吐出するための記録ヘッドを記録媒体に対し複数回走査させる走査制御手段と、前記記録ヘッドのＮ回（Ｎは２以上の整数）の走査にて前記記録媒体上の画素領域にドットを記録するための第１記録モードと、前記記録ヘッドのＭ回（ＭはＮより大きな整数）の走査にて前記第１記録モードよりも高いドット配置密度で前記画素領域にドットを記録するための第２記録モードと、を設定するモード設定手段と、前記画素領域内の複数のエリアの夫々に対するドットの配置の有無を定めたドット配置パターンを用いて、前記画素領域に対応するＫ値の階調データ（Ｋは４以上の整数）を２値データに変換する変換手段と、前記複数のエリアに対する前記２値データの記録が許容される記録許容エリアと記録が許容されない非記録許容エリアとがそれぞれ配置された複数のマスクパターンを用いて、前記２値データから複数回の前記走査それぞれに対応した複数の吐出データを生成する生成手段と、を有する記録制御装置であって、前記モード設定手段により前記第１記録モードが設定された場合、Ａ−１）前記変換手段は、前記画素領域を構成するＪ個（ＪはＫ−１より小さい２以上の整数）の第１のエリアの夫々に対応するドットの配置の有無を定めた第１のドット配置パターンを用いて、前記Ｋ値の階調データを第１の前記２値データに変換し、Ａ−２）前記生成手段は、前記Ｊ個の第１のエリアに対する前記第１の２値データの記録が許容される第１の記録許容エリアと記録が許容されない第１の非記録許容エリアとがそれぞれ配置され、且つ、前記第１の記録許容エリアの数の和がＫ−１個となるように配置されたＮ個の第１のマスクパターンを用いて、前記第１の２値データから前記Ｎ回の走査それぞれに対応したＮ個の第１の前記吐出データを生成し、Ａ−３）前記第１のドット配置パターンおよび前記Ｎ個の第１のマスクパターンは、前記Ｎ回の走査において前記Ｎ個の第１の吐出データに従って前記画素領域にドットを記録することで、Ｋ段階の階調数を表現することが可能なように定められており、前記モード設定手段により第２記録モードが設定された場合、Ｂ−１）前記変換手段は、前記画素領域を構成するＫ−１個の第２のエリアの夫々に対応するドットの配置の有無を定めた第２のドット配置パターンを用いて、前記Ｋ値の階調データを第２の前記２値データに変換し、Ｂ−２）前記生成手段は、前記Ｋ−１個の第２のエリアに対する前記第２の２値データの記録が許容される第２の記録許容エリアと記録が許容されない第２の非記録許容エリアとがそれぞれ配置され、且つ、前記第２の記録許容エリアの数の和がＫ−１個となるように配置されたＭ個の第２のマスクパターンを用いて、前記第２の２値データから前記Ｍ回の走査それぞれに対応したＭ個の第２の前記吐出データを生成し、Ｂ−３）前記第２のドット配置パターンおよび前記Ｍ個の第２のマスクパターンは、前記Ｍ回の走査において前記Ｍ個の第２の吐出データに従って前記画素領域にドットを記録することで、Ｋ段階の階調数を表現することが可能なように定められていることを特徴とする。
【手続補正４】
【補正対象書類名】特許請求の範囲
【補正対象項目名】全文
【補正方法】変更
【補正の内容】
【特許請求の範囲】
【請求項１】
インクを吐出するための記録ヘッドを記録媒体に対し複数回走査させる走査制御手段と、
前記記録ヘッドのＮ回（Ｎは２以上の整数）の走査にて前記記録媒体上の画素領域にドットを記録するための第１記録モードと、前記記録ヘッドのＭ回（ＭはＮより大きな整数）の走査にて前記第１記録モードよりも高いドット配置密度で前記画素領域にドットを記録するための第２記録モードと、を設定するモード設定手段と、
前記画素領域内の複数のエリアの夫々に対するドットの配置の有無を定めたドット配置パターンを用いて、前記画素領域に対応するＫ値の階調データ（Ｋは４以上の整数）を２値データに変換する変換手段と、
前記複数のエリアに対する前記２値データの記録が許容される記録許容エリアと記録が許容されない非記録許容エリアとがそれぞれ配置された複数のマスクパターンを用いて、前記２値データから複数回の前記走査それぞれに対応した複数の吐出データを生成する生成手段と、を有する記録制御装置であって、
前記モード設定手段により前記第１記録モードが設定された場合、
Ａ−１）前記変換手段は、前記画素領域を構成するＪ個（ＪはＫ−１より小さい２以上の整数）の第１のエリアの夫々に対応するドットの配置の有無を定めた第１のドット配置パターンを用いて、前記Ｋ値の階調データを第１の前記２値データに変換し、
Ａ−２）前記生成手段は、前記Ｊ個の第１のエリアに対する前記第１の２値データの記録が許容される第１の記録許容エリアと記録が許容されない第１の非記録許容エリアとがそれぞれ配置され、且つ、前記第１の記録許容エリアの数の和がＫ−１個となるように配置されたＮ個の第１のマスクパターンを用いて、前記第１の２値データから前記Ｎ回の走査それぞれに対応したＮ個の第１の前記吐出データを生成し、
Ａ−３）前記第１のドット配置パターンおよび前記Ｎ個の第１のマスクパターンは、前記Ｎ回の走査において前記Ｎ個の第１の吐出データに従って前記画素領域にドットを記録することで、Ｋ段階の階調数を表現することが可能なように定められており、
前記モード設定手段により第２記録モードが設定された場合、
Ｂ−１）前記変換手段は、前記画素領域を構成するＫ−１個の第２のエリアの夫々に対応するドットの配置の有無を定めた第２のドット配置パターンを用いて、前記Ｋ値の階調データを第２の前記２値データに変換し、
Ｂ−２）前記生成手段は、前記Ｋ−１個の第２のエリアに対する前記第２の２値データの記録が許容される第２の記録許容エリアと記録が許容されない第２の非記録許容エリアとがそれぞれ配置され、且つ、前記第２の記録許容エリアの数の和がＫ−１個となるように配置されたＭ個の第２のマスクパターンを用いて、前記第２の２値データから前記Ｍ回の走査それぞれに対応したＭ個の第２の前記吐出データを生成し、
Ｂ−３）前記第２のドット配置パターンおよび前記Ｍ個の第２のマスクパターンは、前記Ｍ回の走査において前記Ｍ個の第２の吐出データに従って前記画素領域にドットを記録することで、Ｋ段階の階調数を表現することが可能なように定められていることを特徴とする記録制御装置。
【請求項２】
前記第１記録モードと第２記録モードとでは、Ｋ段階の階調数の夫々を表現する場合において、前記画素領域に記録されるドットの数が互いに等しいことを特徴とする請求項１に記載の記録制御装置。
【請求項３】
前記Ｍ個の第２のマスクパターンは、前記Ｍ回の走査によって前記Ｋ−１個の第２のエリアのそれぞれに対して前記第２の２値データの記録が１回ずつ許容されるように、前記第２の記録許容エリアが配置されていることを特徴とする請求項１または２に記載の記録制御装置。
【請求項４】
前記Ｍ個の第２のマスクパターンは、前記第２の記録許容エリアが互いに排他的且つ補完的な関係となるように配置されていることを特徴とする請求項３に記載の記録制御装置。
【請求項５】
前記Ｎ個の第１のマスクパターンは、前記Ｎ回の走査によって前記第１の２値データによる記録が１回許容される前記第１のエリアと、前記第１の２値データによる記録が２回許容される前記第１のエリアと、が決定されるように、前記第１の記録許容エリアが配置されていることを特徴とする請求項１から４のいずれか１項に記載の記録制御装置。
【請求項６】
前記Ｎ個の第１のマスクパターンは、前記第１の２値データの記録が３回許容される前記第１のエリアが更に決定されるように、前記第１の記録許容エリアが配置されていることを特徴とする請求項５に記載の記録制御装置。
【請求項７】
前記第１のドット配置パターンは、第１の階調数を表現する場合におけるドットを配置する前記第１のエリアの数と、前記第１の階調数より一段階高い第２の階調数を表現する場合におけるドットを配置する前記第１のエリアの数と、は互いに同じであり、
前記Ｎ個の第１のマスクパターンは、前記第２の階調数を表現する場合にドットを配置する前記第１のエリアに対する記録が許容される回数が、前記第１の階調数を表現する場合にドットを配置する前記第１のエリアに対する記録が許容される回数よりも１回多くなるように、前記第１の記録許容エリアが配置されていることを特徴とする請求項１から６のいずれか１項に記載の記録制御装置。
【請求項８】
インクを吐出するための記録ヘッドと、
前記記録ヘッドを記録媒体に対し複数回走査させる走査手段と、を有する記録装置と、
該記録装置に記録用のデータを供給するデータ供給装置と、を含む記録システムであって、
前記記録ヘッドのＮ回（Ｎは２以上の整数）の走査にて前記記録媒体上の画素領域にドットを記録するための第１記録モードと、前記記録ヘッドのＭ回（ＭはＮより大きな整数）の走査にて前記第１記録モードよりも高いドット配置密度で前記画素領域にドットを記録するための第２記録モードと、を設定するモード設定手段と、
前記画素領域内の複数のエリアの夫々に対するドットの配置の有無を定めたドット配置パターンを用いて、前記画素領域に対応するＫ値の階調データ（Ｋは４以上の整数）を２値データに変換する変換手段と、
前記複数のエリアに対する前記２値データの記録が許容される記録許容エリアと記録が許容されない非記録許容エリアとがそれぞれ配置された複数のマスクパターンを用いて、前記２値データから複数回の前記走査それぞれに対応した複数の吐出データを生成する生成手段と、を有し、
前記モード設定手段により前記第１記録モードが設定された場合、
Ａ−１）前記変換手段は、前記画素領域を構成するＪ個（ＪはＫ−１より小さい２以上の整数）の第１のエリアの夫々に対応するドットの配置の有無を定めた第１のドット配置パターンを用いて、前記Ｋ値の階調データを第１の前記２値データに変換し、
Ａ−２）前記生成手段は、前記Ｊ個の第１のエリアに対する前記第１の２値データの記録が許容される第１の記録許容エリアと記録が許容されない第１の非記録許容エリアとがそれぞれ配置され、且つ、前記第１の記録許容エリアの数の和がＫ−１個となるように配置されたＮ個の第１のマスクパターンを用いて、前記第１の２値データから前記Ｎ回の走査それぞれに対応したＮ個の第１の前記吐出データを生成し、
Ａ−３）前記第１のドット配置パターンおよび前記Ｎ個の第１のマスクパターンは、前記Ｎ回の走査において前記Ｎ個の第１の吐出データに従って前記画素領域にドットを記録することで、Ｋ段階の階調数を表現することが可能なように定められており、
前記モード設定手段により第２記録モードが設定された場合、
Ｂ−１）前記変換手段は、前記画素領域を構成するＫ−１個の第２のエリアの夫々に対応するドットの配置の有無を定めた第２のドット配置パターンを用いて、前記Ｋ値の階調データを第２の前記２値データに変換し、
Ｂ−２）前記生成手段は、前記Ｋ−１個の第２のエリアに対する前記第２の２値データの記録が許容される第２の記録許容エリアと記録が許容されない第２の非記録許容エリアとがそれぞれ配置され、且つ、前記第２の記録許容エリアの数の和がＫ−１個となるように配置されたＭ個の第２のマスクパターンを用いて、前記第２の２値データから前記Ｍ回の走査それぞれに対応したＭ個の第２の前記吐出データを生成し、
Ｂ−３）前記第２のドット配置パターンおよび前記Ｍ個の第２のマスクパターンは、前記Ｍ回の走査において前記Ｍ個の第２の吐出データに従って前記画素領域にドットを記録することで、Ｋ段階の階調数を表現することが可能なように定められていることを特徴とする記録システム。
【請求項９】
前記第１のドット配置パターンは、第１の階調数を表現する場合におけるドットを配置する前記第１のエリアの数と、前記第１の階調数より一段階高い第２の階調数を表現する場合におけるドットを配置する前記第１のエリアの数と、は互いに同じであり、
前記Ｎ個の第１のマスクパターンは、前記第２の階調数を表現する場合にドットを配置する前記第１のエリアに対する記録が許容される回数が、前記第１の階調数を表現する場合にドットを配置する前記第１のエリアに対する記録が許容される回数よりも１回多くなるように、前記第１の記録許容エリアが配置されていることを特徴とする請求項８に記載の記録システム。
【請求項１０】
インクを吐出するための記録ヘッドを記録媒体に対し複数回走査させる走査工程と、
前記記録ヘッドのＮ回（Ｎは２以上の整数）の走査にて前記記録媒体上の画素領域にドットを記録するための第１記録モードと、前記記録ヘッドのＭ回（ＭはＮより大きな整数）の走査にて前記第１記録モードよりも高いドット配置密度で前記画素領域にドットを記録するための第２記録モードと、を設定するモード設定工程と、
前記画素領域内の複数のエリアの夫々に対するドットの配置の有無を定めたドット配置パターンを用いて、前記画素領域に対応するＫ値の階調データ（Ｋは４以上の整数）を２値データに変換する変換工程と、
前記複数のエリアに対する前記２値データの記録が許容される記録許容エリアと記録が許容されない非記録許容エリアとがそれぞれ配置された複数のマスクパターンを用いて、前記２値データから複数回の前記走査それぞれに対応した複数の吐出データを生成する生成工程と、を有する記録方法であって、
前記モード設定工程により前記第１記録モードが設定された場合、
Ａ−１）前記変換工程は、前記画素領域を構成するＪ個（ＪはＫ−１より小さい２以上の整数）の第１のエリアの夫々に対応するドットの配置の有無を定めた第１のドット配置パターンを用いて、前記Ｋ値の階調データを第１の前記２値データに変換し、
Ａ−２）前記生成工程は、前記Ｊ個の第１のエリアに対する前記第１の２値データの記録が許容される第１の記録許容エリアと記録が許容されない第１の非記録許容エリアとがそれぞれ配置され、且つ、前記第１の記録許容エリアの数の和がＫ−１個となるように配置されたＮ個の第１のマスクパターンを用いて、前記第１の２値データから前記Ｎ回の走査それぞれに対応したＮ個の第１の前記吐出データを生成し、
Ａ−３）前記第１のドット配置パターンおよび前記Ｎ個の第１のマスクパターンは、前記Ｎ回の走査において前記Ｎ個の第１の吐出データに従って前記画素領域にドットを記録することで、Ｋ段階の階調数を表現することが可能なように定められており、
前記モード設定工程により第２記録モードが設定された場合、
Ｂ−１）前記変換工程は、前記画素領域を構成するＫ−１個の第２のエリアの夫々に対応するドットの配置の有無を定めた第２のドット配置パターンを用いて、前記Ｋ値の階調データを第２の前記２値データに変換し、
Ｂ−２）前記生成工程は、前記Ｋ−１個の第２のエリアに対する前記第２の２値データの記録が許容される第２の記録許容エリアと記録が許容されない第２の非記録許容エリアとがそれぞれ配置され、且つ、前記第２の記録許容エリアの数の和がＫ−１個となるように配置されたＭ個の第２のマスクパターンを用いて、前記第２の２値データから前記Ｍ回の走査それぞれに対応したＭ個の第２の前記吐出データを生成し、
Ｂ−３）前記第２のドット配置パターンおよび前記Ｍ個の第２のマスクパターンは、前記Ｍ回の走査において前記Ｍ個の第２の吐出データに従って前記画素領域にドットを記録することで、Ｋ段階の階調数を表現することが可能なように定められていることを特徴とする記録方法。
【請求項１１】
前記第１のドット配置パターンは、第１の階調数を表現する場合におけるドットを配置する前記第１のエリアの数と、前記第１の階調数より一段階高い第２の階調数を表現する場合におけるドットを配置する前記第１のエリアの数と、は互いに同じであり、
前記Ｎ個の第１のマスクパターンは、前記第２の階調数を表現する場合にドットを配置する前記第１のエリアに対する記録が許容される回数が、前記第１の階調数を表現する場合にドットを配置する前記第１のエリアに対する記録が許容される回数よりも１回多くなるように、前記第１の記録許容エリアが配置されていることを特徴とする請求項１０に記載の記録方法。